(57)【要約】【課題】FAX通信のセキュリティ及び信頼性を向上させる。【解決手段】FAX受信部１３は、FAXデータと送信元情報とを受信する。送信先指定情報取得部１４ａは、FAXデータの中継通信時に、送信先指定情報を取得する。送信先番号抽出部１４ｂは、取得した送信先指定情報を用いて、保存管理されている送信先番号を抽出する。暗号化処理部１４ｃは、取得した送信先指定情報を用いて、保存管理されている通し番号を抽出し、送信すべきFAXデータに関する送信元情報と通し番号との少なくとも一方を含む識別情報を暗号化し、暗号化データを生成する。暗号化データ添付部１４ｄは、暗号化データを、送信すべきFAXデータに添付して暗号化データ付きFAXデータを生成する。FAX送信部１５は、暗号化データ付きFAXデータを送信先番号宛てに送信する。復号化部３１は、暗号化データ付きFAXデータを受信して、暗号化データの復号化を行う。【選択図】図１
2007096580.tif 000002
【特許請求の範囲】
【請求項１】
FAX通信を行うFAX通信システムにおいて、
FAXデータの送信先を指定するための情報である送信先指定情報と、送信先番号とを関連付けて保存管理する送信先データ保存部と、受信したFAXデータを、前記送信先指定情報と通し番号とで関連付けて保存管理する受信FAXデータ保存部と、FAXデータと送信元情報とを受信するFAX受信部と、FAXデータの中継通信時に、前記送信先指定情報を取得する送信先指定情報取得部、取得した前記送信先指定情報を用いて、保存管理されている前記送信先番号を抽出する送信先番号抽出部、取得した前記送信先指定情報を用いて、保存管理されている前記通し番号を抽出し、送信すべきFAXデータに関する前記送信元情報と前記通し番号との少なくとも一方を含む識別情報を暗号化し、暗号化データを生成する暗号化処理部、前記暗号化データを、送信すべきFAXデータに添付して暗号化データ付きFAXデータを生成する暗号化データ添付部、を含むFAX制御部と、前記暗号化データ付きFAXデータを前記送信先番号宛てに送信するFAX送信部と、から構成されるFAXサーバ装置と、
前記暗号化データ付きFAXデータを受信して、前記暗号化データの復号化を行う復号化部を含み、FAXデータ、前記送信元情報及び前記通し番号を取得する送信先ユーザ端末と、
を有することを特徴とするFAX通信システム。
【請求項２】
前記暗号化処理部は、前記識別情報を秘密鍵で暗号化して前記暗号化データを生成し、前記復号化部は、公開鍵を用いて前記暗号化データを復号化することで、前記送信先ユーザ端末は、前記送信元情報と前記通し番号とを取得することを特徴とする請求項１記載のFAX通信システム。
【請求項３】
前記暗号化処理部は、前記秘密鍵で暗号化された前記暗号化データを２次元バーコード化し、前記暗号化データ添付部は、２次元バーコード化された前記暗号化データをFAXデータに添付することを特徴とする請求項２記載のFAX通信システム。
【請求項４】
前記復号化部は、前記暗号化データを復号化して得られた前記通し番号を自動的に監視して、正常送信されていないことを認識した場合は、前記送信先ユーザ端末によって、アラームが発せられることを特徴とする請求項１記載のFAX通信システム。
【請求項５】
前記FAXサーバ装置は、前記受信FAXデータ保存部で保存されている情報をWEB公開するWEB公開部をさらに有し、前記送信先ユーザ端末は、前記暗号化データを復号化して得られた前記送信元情報と前記通し番号とを用いてWEBアクセスすることで、前記受信FAXデータ保存部で保存されている情報をWEB上で閲覧することを特徴とする請求項１記載のFAX通信システム。
【発明の詳細な説明】
【技術分野】
【０００１】
本発明は、FAX通信システムに関し、特にFAX（Facsimile）の中継通信を行うFAX通信システムに関する。
【背景技術】
【０００２】
近年、FAXの送受信データの蓄積・管理を、サーバが一括して担当し、FAX操作はFAX機器のみならず、LAN上の各クライアント端末からも行うことができるFAXサーバシステムの利用が広まってきている。FAXサーバシステムを導入することにより、複数台あったFAX機器や回線が集約され、自席とFAX機器との往復をなくすことができるなどの利点がある。
【０００３】
また、FAXサーバシステムには、通常、FAX誤送信防止機能が設けられている。この機能は、送信FAXを一旦、サーバで受信すると、あらかじめ登録された宛先のみにFAXを送信するものである。これにより、FAX送信に伴う宛先番号の押し間違い等によって、登録されていない宛先へFAXが誤送信されることを防止する。
【０００４】
従来の技術として、FAX送信者を特定し、文書の漏洩を防止する技術が提案されている（例えば、特許文献１）。また、通信の当事者が通信事実を否認することを回避する技術が提案されている（例えば、特許文献２）。
【特許文献１】特開２００１−１６４２３号公報（段落番号〔００２２〕〜〔００２５〕，第１図）
【特許文献２】特開２００３−１４３３３６号公報（段落番号〔００２２〕〜〔００２６〕，第１図）
【発明の開示】
【発明が解決しようとする課題】
【０００５】
しかし、従来のFAXサーバシステムでは、送信先の誤送信防止機能が設けられていても、送信元の証明に関する機能がないため、以下のような問題点を生じていた。
・FAXサーバ側に送信元を確認する機能がないので、あらかじめ登録されたFAX機器以外から送信されたFAXを排除できない。
【０００６】
・FAXサーバ側で、FAXの送信元情報の取得、送信元情報の付加を行っておらず、FAX受信者にFAXの送信元に関する情報を伝える手段がない。
・受信したFAXが、FAXサーバを経由して送信されたものか否かを見分ける手段がない。
【０００７】
・FAX受信データの差し替えがなかったかを確認することが困難である。
・FAX受信データの改ざんがなかったかを確認することが困難である。
・G３ FAX（アナログ電話回線用のFAX）の送信元番号表示は、テキストベースの表示であるため簡単に真似されてしまい、正当なFAX送信者であるか否かを判別できない。
【０００８】
本発明はこのような点に鑑みてなされたものであり、送信元の証明に関する機能を設けて、セキュリティ及び信頼性を向上させ、高品質のFAX通信を行うFAX通信システムを提供することを目的とする。
【課題を解決するための手段】
【０００９】
本発明では上記課題を解決するために、図１に示すような、FAX通信を行うFAX通信システム１において、FAXデータの送信先を指定するための情報である送信先指定情報と、送信先番号とを関連付けて保存管理する送信先データ保存部１１と、受信したFAXデータを、送信先指定情報と通し番号とで関連付けて保存管理する受信FAXデータ保存部１２と、FAXデータと送信元情報とを受信するFAX受信部１３と、FAXデータの中継通信時に、送信先指定情報を取得する送信先指定情報取得部１４ａ、取得した送信先指定情報を用いて、保存管理されている送信先番号を抽出する送信先番号抽出部１４ｂ、取得した送信先指定情報を用いて、保存管理されている通し番号を抽出し、送信すべきFAXデータに関する送信元情報と通し番号との少なくとも一方を含む識別情報を暗号化し、暗号化データを生成する暗号化処理部１４ｃ、暗号化データを、送信すべきFAXデータに添付して暗号化データ付きFAXデータを生成する暗号化データ添付部１４ｄ、を含むFAX制御部１４と、暗号化データ付きFAXデータを送信先番号宛てに送信するFAX送信部１５と、から構成されるFAXサーバ装置１０と、暗号化データ付きFAXデータを受信して、暗号化データの復号化を行う復号化部３１を含み、FAXデータ、送信元情報及び通し番号を取得する送信先ユーザ端末３０と、を有することを特徴とするFAX通信システム１が提供される。
【００１０】
ここで、送信先データ保存部１１は、FAXデータの送信先を指定するための情報である送信先指定情報と、送信先番号とを関連付けて保存管理する。受信FAXデータ保存部１２は、受信したFAXデータを、送信先指定情報と通し番号とで関連付けて保存管理する。FAX受信部１３は、FAXデータと送信元情報とを受信する。送信先指定情報取得部１４ａは、FAXデータの中継通信時に、送信先指定情報を取得する。送信先番号抽出部１４ｂは、取得した送信先指定情報を用いて、保存管理されている送信先番号を抽出する。暗号化処理部１４ｃは、取得した送信先指定情報を用いて、保存管理されている通し番号を抽出し、送信すべきFAXデータに関する送信元情報と通し番号との少なくとも一方を含む識別情報を暗号化し、暗号化データを生成する。暗号化データ添付部１４ｄは、暗号化データを、送信すべきFAXデータに添付して暗号化データ付きFAXデータを生成する。FAX送信部１５は、暗号化データ付きFAXデータを送信先番号宛てに送信する。復号化部３１は、暗号化データ付きFAXデータを受信して、暗号化データの復号化を行う。
【発明の効果】
【００１１】
本発明のFAX通信システムは、FAXサーバ装置で、送信すべきFAXデータに関する送信元情報と通し番号とを暗号化し、暗号化データをFAXデータに添付して暗号化データ付きFAXデータを送信し、送信先ユーザ端末は、暗号化データ付きFAXデータを受信して、暗号化データの復号化を行って、FAXデータの他に、送信元情報及び通し番号を取得する構成とした。これにより、暗号化された送信元の証明に関する情報が送信先に与えられることで、セキュリティ及び信頼性が向上し、高品質のFAX通信を行うことが可能になる。
【発明を実施するための最良の形態】
【００１２】
以下、本発明の実施の形態を図面を参照して説明する。図１はFAX通信システムの原理図である。FAX通信システム１は、FAXサーバ装置１０、送信元ユーザ端末２０、送信先ユーザ端末３０から構成され、FAX中継通信を行うシステムである（送信元ユーザ端末２０、送信先ユーザ端末３０は、パソコンやFAX機器に該当する）。
【００１３】
送信元ユーザ端末２０とFAXサーバ装置１０は、ネットワークＮ１で接続し、送信先ユーザ端末３０とFAXサーバ装置１０は、ネットワークＮ２で接続する。また、送信元ユーザ端末２０から送られたFAXデータは、FAXサーバ装置１０で蓄積・管理され、FAXサーバ装置１０からFAXデータが送信先ユーザ端末３０へ送信される（FAXサーバ装置１０は、受信したFAXデータをFAXデータそのままの形式で送信する他、画像フォーマット変換を行って、例えば、メール形式で送信先ユーザ端末３０へFAXデータの情報を送信することも可能）。
【００１４】
FAXサーバ装置１０は、送信先データ保存部１１、受信FAXデータ保存部１２、FAX受信部１３、FAX制御部１４、FAX送信部１５から構成される。
送信先データ保存部１１は、FAXデータの送信先を指定するための情報である送信先指定情報と、送信先番号とを関連付けて保存管理する。受信FAXデータ保存部１２は、受信したFAXデータを、送信先指定情報と通し番号とで関連付けて保存管理する。FAX受信部１３は、FAXデータと送信元情報とを受信する。
【００１５】
FAX制御部１４は、送信先指定情報取得部１４ａ、送信先番号抽出部１４ｂ、暗号化処理部１４ｃ、暗号化データ添付部１４ｄを含む。送信先指定情報取得部１４ａは、FAXデータの中継通信時に、送信先指定情報を取得する。送信先番号抽出部１４ｂは、取得した送信先指定情報を用いて、送信先データ保存部１１で保存管理されている送信先番号を抽出する。
【００１６】
暗号化処理部１４ｃは、取得した送信先指定情報を用いて、受信FAXデータ保存部１２で保存管理されている通し番号を抽出し、送信すべきFAXデータに関する送信元情報と通し番号との少なくとも一方を含む識別情報を暗号化し、暗号化データを生成する。
【００１７】
暗号化データ添付部１４ｄは、暗号化データを、送信すべきFAXデータに添付して暗号化データ付きFAXデータを生成する。
FAX送信部１５は、暗号化データ付きFAXデータを送信先番号宛てに送信する。一方、送信先ユーザ端末３０は、復号化部３１を含む。復号化部３１は、暗号化データ付きFAXデータを受信して、暗号化データの復号化を行う。
【００１８】
次に送信先データ保存部１１と受信FAXデータ保存部１２で保存管理されている保存情報について説明する。図２は送信先データ保存部１１の保存情報の一例を示す図である。送信先データ保存部１１は、送信先指定情報、送信先番号、送信先名称をデータベース化して保存管理する。送信先指定情報は、図では４桁のコード番号となっており、送信先番号は電話番号となっている（送信先番号はIPアドレス等でもよい）。このように、送信先指定情報は、送信先番号と関連付けて保存される。
【００１９】
図３は受信FAXデータ保存部１２の保存情報の一例を示す図である。受信FAXデータ保存部１２は、送信先指定情報、通し番号、ファイル名称をデータベース化して保存管理する。
【００２０】
通し番号は、送信先別に、現在何枚目の送信すべきFAXデータを蓄積しているかを示す番号である。例えば、コード番号９００２の通し番号が１３となっているのは、コード番号９００２の送信先に対して、現在１３枚目の送信すべきFAXデータが蓄積されていることを示している（１２枚分のFAXデータは９００２宛てにすでに送信していることになる）。また、ファイル名称は、FAXデータのファイル名称であり、図の例ではPDFファイルで保存管理している（Tiffファイル等で管理してもよい）。
【００２１】
なお、図では、送信されるべきFAXデータの保存管理されている様子のみを示したが、実際には、過去に送信したFAXデータ及びそのFAXデータに関連した送信先指定情報や通し番号も記録されるものである。
【００２２】
次に暗号化処理部１４ｃ及び暗号化データ添付部１４ｄの構成について説明する。図４は暗号化処理部１４ｃの構成を示す図である。暗号化処理部１４ｃは、秘密鍵保管部１４ｃ−１と秘密鍵暗号化処理部１４ｃ−２から構成される。
【００２３】
秘密鍵保管部１４ｃ−１は、送信先指定情報に対応した秘密鍵を保管する。秘密鍵暗号化処理部１４ｃ−２は、送信すべきFAXデータの送信先指定情報に該当する秘密鍵を用いて、送信元ユーザ端末２０の送信元情報と、FAXデータの通し番号とを暗号化し、暗号化データを生成する。
【００２４】
図５は秘密鍵保管部１４ｃ−１の登録例を示す図である。秘密鍵保管部１４ｃ−１では、送信先指定情報と秘密鍵とが対応付けて保存管理される。
図６は暗号化データ添付部１４ｄの構成を示す図である。暗号化データ添付部１４ｄは、２次元バーコードデータ生成部１４ｄ−１、２次元バーコードデータ添付部１４ｄ−２、FAXデータ抽出部１４ｄ−３から構成される。
【００２５】
２次元バーコードデータ生成部１４ｄ−１は、暗号化データを２次元バーコード（例えば、QR（Quick Response）コード等）のデータに変換する。FAXデータ抽出部１４ｄ−３は、受信FAXデータ保存部１２から送信すべきFAXデータを抽出する。２次元バーコードデータ添付部１４ｄ−２は、２次元バーコードデータを、抽出したFAXデータに貼り付けて、暗号化データ付きFAXデータ（以下、２次元バーコード付きFAXデータと呼ぶ）を生成する。
【００２６】
次にFAX通信システム１が適用されるシステムの構成例について説明する。図７はFAX通信システム１のシステム構成例を示す図である。各構成要素の接続関係を説明すると、ネットワークＮ１は、送信元ユーザ端末２０ａ、２０ｂと、ＰＢＸ４１と接続する。FAXサーバ装置１０は、音声／FAX制御ボード１３ａ（FAX受信部１３に含まれる）を介してＰＢＸ４１と接続する。なお、FAXサーバ装置１０は、データベース（ＤＢ：送信先データ保存部１１、受信FAXデータ保存部１２に該当）を有する。
【００２７】
ネットワークＮ２ａは、送信先ユーザ端末３０ａ、３０ｂと、ＰＢＸ４２と接続する。FAXサーバ装置１０は、音声／FAX制御ボード１５ａ（FAX送信部１５に含まれる）を介してＰＢＸ４２と接続する。
【００２８】
一方、インターネット／イントラネットＮ２ｂと携帯電話メール・ネットワークＮ２ｃが接続し、インターネット／イントラネットＮ２ｂは、メールサーバ５０と接続する。FAXサーバ装置１０は、LANカード１５ｂ（FAX送信部１５に含まれる）を介してメールサーバ５０と接続する。また、携帯電話メール・ネットワークＮ２ｃは、送信先ユーザ端末（携帯電話機）３０ｃと接続する。
【００２９】
次にFAXサーバ装置１０におけるFAX受信から送信までの動作について説明する。図８はFAXサーバ装置１０のFAX受信から送信までの動作を示すフローチャートである。
〔Ｓ１〕着信
FAX受信部１３は、着信を検出し、FAX制御部１４に通知する。
【００３０】
〔Ｓ２〕送信先指定情報の入手
送信先指定情報取得部１４ａは、送信元ユーザ端末２０側で行われたIVR（Interactive Voice Response）などの音声応答システムによる音声入力や、ＰＢ信号の入力などから、FAXの送信先指定情報を入手する。
【００３１】
〔Ｓ３〕FAX受信
FAX受信部１３は、FAXデータと送信元情報（送信元ユーザ端末２０の電話番号、名称など）を受信する。
【００３２】
〔Ｓ４〕回線切断
FAX受信部１３は、送信元ユーザ端末２０との回線を切断する。
〔Ｓ５〕FAXデータの保存管理
受信FAXデータ保存部１２では、受信したFAXデータを、送信先指定情報と通し番号とで関連付けて保存管理する。
【００３３】
〔Ｓ６〕送信先番号の抽出
FAX送信時、送信先番号抽出部１４ｂは、送信先指定情報をキーにして、送信先データ保存部１１で保存されている情報を検索して、送信先ユーザ端末３０の送信先番号を抽出する。ここで、取得した送信先指定情報を使って、送信先番号を抽出できないときは、送信先指定情報が誤りである（正当なFAX送信者でない）と見なして、制御を停止する。
【００３４】
〔Ｓ７〕秘密鍵の取り出し
暗号化処理部１４ｃにおいて、秘密鍵暗号化処理部１４ｃ−２は、秘密鍵保管部１４ｃ−１を使用して、送信先指定情報に該当する秘密鍵を取り出す。
【００３５】
〔Ｓ８〕暗号化
秘密鍵暗号化処理部１４ｃ−２は、送信先指定情報を用いて、受信FAXデータ保存部１２で保存管理されている通し番号を抽出する。また、取り出した秘密鍵を用いて、送信元情報と通し番号とを暗号化し、暗号化データを生成する。
【００３６】
〔Ｓ９〕FAXデータの抽出
暗号化データ添付部１４ｄにおいて、FAXデータ抽出部１４ｄ−３は、送信先指定情報をキーに、受信FAXデータ保存部１２から送信すべきFAXデータを抽出する。
【００３７】
〔Ｓ１０〕２次元バーコードの生成
２次元バーコードデータ生成部１４ｄ−１は、暗号化データの内容を２次元バーコード化する。
【００３８】
〔Ｓ１１〕２次元バーコードの添付
２次元バーコードデータ添付部１４ｄ−２は、生成された２次元バーコードデータを、抽出したFAXデータの所定位置に合成して貼り付けて、２次元バーコード付きFAXデータを生成する。
【００３９】
〔Ｓ１２〕FAX送信
FAX送信部１５は、送信先番号にもとづき、送信先ユーザ端末３０へ２次元バーコード付きFAXデータを送信する。
【００４０】
〔Ｓ１３〕回線切断
FAX送信部１５は、FAX送信後、送信先ユーザ端末３０との回線を切断する。
次に送信先ユーザ端末３０におけるFAX受信から復号化までの動作について説明する。図９は送信先ユーザ端末３０のFAX受信から復号化までの動作を示すフローチャートである。
【００４１】
〔Ｓ２１〕２次元バーコード付きFAXデータの受信
送信先ユーザ端末３０は、２次元バーコード付きFAXデータを受信する。
〔Ｓ２２〕復号化
復号化部３１は、FAXデータに貼り付けられている２次元バーコードデータを読み取り、あらかじめ渡されていた公開鍵を用いて復号化し、送信元ユーザ端末２０の送信元情報と、FAXデータの通し番号を取得する。
【００４２】
〔Ｓ２３〕通し番号の監視
復号化部３１は、復号化して得られた通し番号を自動的に監視して、番号が飛んでいたり、重複していたりする場合は、正常送信されていないことを認識し、送信先ユーザ端末３０は、このときアラームを発する。
【００４３】
次に音声応答での送信先指定情報の設定動作について説明する。図１０は音声応答による送信先指定情報の設定動作を示す図である。送信元ユーザ端末２０から音声応答システムを利用して、送信先指定情報がFAXサーバ装置１０へ送信される様子を示している。
【００４４】
〔Ｓ３１〕送信元ユーザ端末２０は、音声応答システムの音声ナビゲーションにより、送信元ユーザに対して、送信先指定情報の入力を促す。
〔Ｓ３２〕送信元ユーザは、音声ナビゲーションにしたがい、送信先指定情報として、図２で上述したようなコード番号を入力する。
【００４５】
〔Ｓ３３〕送信元ユーザ端末２０は、音声ナビゲーションで、入力の確認を促す。
〔Ｓ３４〕送信元ユーザは、確認ボタン（＃ボタン）を押す。
〔Ｓ３５〕送信元ユーザ端末２０は、音声ナビゲーションで、送信スタートを促す。
【００４６】
〔Ｓ３６〕送信元ユーザは、スタートボタンを押す。
なお、この例では、音声にしたがって、コード情報を入力するとしたが、送信元ユーザ端末２０に設けられている電話を利用して、音声にしたがって、ユーザは音声で送信先指定情報を発することで（例えば、送信先指定情報を名称として、FAXの送信先名称を音声で発する）、送信先指定情報を入力することもできる。
【００４７】
次にFAX通信システム１の暗号化処理で使用する公開鍵暗号方式の概要について説明する。図１１は一般の公開鍵暗号方式の概要を示す図である。公開鍵暗号方式では２つの異なる鍵を用いる。２つの鍵は、通常、公開鍵と秘密鍵と呼ばれる。 
【００４８】
公開鍵と秘密鍵は互いに相手の逆関数になっており、公開鍵で暗号化したものは秘密鍵で復号化でき、秘密鍵で暗号化したものは公開鍵で復号化できる。 
受手は、公開鍵と秘密鍵の組を作り、公開鍵を誰でも読めるようにする。送手は、受手の公開鍵を暗号化鍵として用いて暗号文を作り送る。受手は、受け取った暗号文を、自分の秘密鍵を復号化鍵として用いて復号化し元の平文を得る。
【００４９】
ここで、公開鍵から秘密鍵を計算することは難しく、ある平文を公開鍵で暗号化してみたところで、秘密鍵を得ることは難しい。共通鍵暗号では、情報を交換する間で鍵を安全に共有しなければならず、通信相手ごとに鍵を変える必要があるが、公開鍵暗号方式では、受手ごとに、１つの暗号化鍵を公開するだけでよく、今までに通信をしたことがない人からでも、暗号化されたメッセージを受け取ることが可能である。公開鍵暗号方式は、暗号通信だけでなくディジタル署名や利用者認証等に広く応用されている。
【００５０】
FAX通信システム１の暗号化処理では、公開鍵暗号を使って特にディジタル署名の手順を応用したものである。図１２は公開鍵暗号を使ったディジタル署名の概要を示す図である。ディジタル署名とは、ディジタル文書の正当性を保証するために付けられる暗号化された署名情報のことで、公開鍵暗号方式によって、文書の作成者を証明し、かつその文書が改ざんされていないことを保証するものである。
【００５１】
また、ディジタル署名では、メッセージ全体を暗号化する場合もあるが、メッセージ全体を暗号化すると処理が大きくなるので、メッセージ作成者（メッセージダイジェストと呼ばれる）のみを暗号化する方法もある。すなわち、送手は、メッセージは平文で送り、メッセージダイジェストを秘密鍵で暗号化して送信する。受手は、メッセージを平文で受信し、公開鍵でメッセージダイジェストを復号化して、正当な文書の作成者から送信されたことを認識する。なお、FAX通信システム１では、メッセージはFAXデータに該当し、送信元情報と通し番号はメッセージダイジェストに該当するものである。
【００５２】
次に２次元バーコード付きFAXデータの例と、２次元バーコード付きFAXデータの生成から復号化までの流れについて図１３、図１４を用いて説明する。
図１３は２次元バーコード付きFAXデータの例を示す図である。２次元バーコードは、FAXデータの所定位置に貼り付けられる。図１４は２次元バーコード付きFAXデータの生成から送信、復号化までの流れを示す図である。
【００５３】
〔Ｓ４１〕FAXサーバ装置１０は、秘密鍵を用いて、送信元情報と通し番号を暗号化し、暗号化データを生成する。
〔Ｓ４２〕FAXサーバ装置１０は、暗号化データを２次元バーコード化し、FAXデータに添付する。
【００５４】
〔Ｓ４３〕FAXサーバ装置１０は、送信先へ２次元バーコード付きFAXデータを送信する。
〔Ｓ４４〕送信先ユーザ端末３０は、２次元バーコード付きFAXデータを受信し、２次元バーコードデータを読み取る。
【００５５】
〔Ｓ４５〕送信先ユーザ端末３０は、公開鍵を用いて、２次元バーコードデータを復号化する。
〔Ｓ４６〕送信先ユーザ端末３０は、FAXデータの内容だけでなく、復号化した送信元情報及び通し番号も画面上に表示する。
【００５６】
次にFAX通信システム１の変形例について説明する。図１５はFAX通信システムの変形例を示す図である。FAX通信システム１ａは、あらたなFAXサーバ装置１０ａを有し、FAXサーバ装置１０ａは、WEB公開部１６を有している（その他の構成は、図１と同じである）。
【００５７】
WEB公開部１６は、WEBサーバ（図示せず）とアクセスして、受信FAXデータ保存部１２で保存されている情報を、ネットワークＮ２を通じてWEB公開する。送信先ユーザ端末３０は、２次元バーコードを復号化して得られた送信元情報と通し番号とを用いて、WEBアクセスする。そして、受信FAXデータ保存部１２で保存されているFAX情報をWEB上で閲覧する。
【００５８】
このような構成にすることにより、送信先に送られたFAX用紙と、WEBで公開されたFAXの内容とを比較することで、正当な送信元から送られたFAXデータか否かを、確実に確認することができる。
【００５９】
以上説明したように本発明によれば、FAXサーバ装置１０で、送信すべきFAXデータに関する送信元情報と通し番号とを暗号化して２次元バーコード化し、２次元バーコードデータをFAXデータに添付して送信する。送信先ユーザ端末３０は、２次元バーコード付きFAXデータを受信して、２次元バーコードの復号化を行って、FAXデータの他に、送信元情報及び通し番号を取得する構成とした。これにより、従来のFAXサーバシステムに比べて、以下に示すような効果が得られる。
【００６０】
・FAXサーバ装置１０は、送られた送信先指定情報で、送信先番号を検索できない場合は、FAX通信制御を停止するので、正当な送信元以外からのFAXを排除することができる。
・送信先で受信したFAX用紙への２次元バーコードの有無により、FAXサーバ装置１０を経由した正当な送信元からのFAXか否かを見分けることができる。
【００６１】
・FAXの送信元情報を、２次元バーコードでFAX用紙に添付して、その解読によって、どの送信元から来たFAXかを見分けることができる。
・FAXサーバ装置１０で蓄積管理されているFAXの通し番号を、２次元バーコードでFAX用紙に添付することにより、送信元から何番目のFAXかを見分けることができる。
【００６２】
・送信元ユーザ端末２０側で、通し番号の自動監視を行うので、不当な複数回送信や、２次元バーコードをFAX用紙に切り貼りした偽装送信されたものか否かを見分けることができる。
【００６３】
・２次元バーコードは、単なるテキストベースの送信元表示に比べて、送信元の偽装がしにくい。
・FAX通信システム１では、秘密鍵を使用しており、送信先側で使用するのは、公開鍵であるため、鍵の管理が容易である。例えば、送信先側で復号化に携帯電話機を使用している場合に携帯電話機がなくなっても、再度別の公開鍵を要求すればよく、大きな影響はない。
【００６４】
・復号化して得られた送信元情報と通し番号を使ってWEBアクセスし、インターネット上で公開されているFAX情報を閲覧することにより（復号化して得られた送信元情報と通し番号とが例えば、パスワードの役目を果たすので、２次元バーコードデータを復号化して送信元情報と通し番号が得られなければ、FAX情報の閲覧はできないので、２次元バーコードを復号化できたFAX受信者のみ閲覧可能）、FAXデータの送信元の正当性をより確実に認識することができる。
【００６５】
（付記１）  FAX通信を行うFAX通信システムにおいて、
FAXデータの送信先を指定するための情報である送信先指定情報と、送信先番号とを関連付けて保存管理する送信先データ保存部と、受信したFAXデータを、前記送信先指定情報と通し番号とで関連付けて保存管理する受信FAXデータ保存部と、FAXデータと送信元情報とを受信するFAX受信部と、FAXデータの中継通信時に、前記送信先指定情報を取得する送信先指定情報取得部、取得した前記送信先指定情報を用いて、保存管理されている前記送信先番号を抽出する送信先番号抽出部、取得した前記送信先指定情報を用いて、保存管理されている前記通し番号を抽出し、送信すべきFAXデータに関する前記送信元情報と前記通し番号との少なくとも一方を含む識別情報を暗号化し、暗号化データを生成する暗号化処理部、前記暗号化データを、送信すべきFAXデータに添付して暗号化データ付きFAXデータを生成する暗号化データ添付部、を含むFAX制御部と、前記暗号化データ付きFAXデータを前記送信先番号宛てに送信するFAX送信部と、から構成されるFAXサーバ装置と、
前記暗号化データ付きFAXデータを受信して、前記暗号化データの復号化を行う復号化部を含み、FAXデータ、前記送信元情報及び前記通し番号を取得する送信先ユーザ端末と、
を有することを特徴とするFAX通信システム。
【００６６】
（付記２）  前記暗号化処理部は、前記識別情報を秘密鍵で暗号化して前記暗号化データを生成し、前記復号化部は、公開鍵を用いて前記暗号化データを復号化することで、前記送信先ユーザ端末は、前記送信元情報と前記通し番号とを取得することを特徴とする付記１記載のFAX通信システム。
【００６７】
（付記３）  前記暗号化処理部は、前記秘密鍵で暗号化された前記暗号化データを２次元バーコード化し、前記暗号化データ添付部は、２次元バーコード化された前記暗号化データをFAXデータに添付することを特徴とする付記２記載のFAX通信システム。
【００６８】
（付記４）  前記復号化部は、前記暗号化データを復号化して得られた前記通し番号を自動的に監視して、正常送信されていないことを認識した場合は、前記送信先ユーザ端末によって、アラームが発せられることを特徴とする付記１記載のFAX通信システム。
【００６９】
（付記５）  前記FAXサーバ装置は、前記受信FAXデータ保存部で保存されている情報をWEB公開するWEB公開部をさらに有し、前記送信先ユーザ端末は、前記暗号化データを復号化して得られた前記送信元情報と前記通し番号とを用いてWEBアクセスすることで、前記受信FAXデータ保存部で保存されている情報をWEB上で閲覧することを特徴とする付記１記載のFAX通信システム。
【００７０】
（付記６）  FAX通信を行うFAXサーバ装置において、
FAXデータの送信先を指定するための情報である送信先指定情報と、送信先番号とを関連付けて保存管理する送信先データ保存部と、
受信したFAXデータを、前記送信先指定情報と通し番号とで関連付けて保存管理する受信FAXデータ保存部と、
FAXデータと送信元情報とを受信するFAX受信部と、
FAXデータの中継通信時に、前記送信先指定情報を取得する送信先指定情報取得部、取得した前記送信先指定情報を用いて、保存管理されている前記送信先番号を抽出する送信先番号抽出部、取得した前記送信先指定情報を用いて、保存管理されている前記通し番号を抽出し、送信すべきFAXデータに関する前記送信元情報と前記通し番号との少なくとも一方を含む識別情報を暗号化し、暗号化データを生成する暗号化処理部、前記暗号化データを、送信すべきFAXデータに添付して暗号化データ付きFAXデータを生成する暗号化データ添付部、を含むFAX制御部と、
前記暗号化データ付きFAXデータを前記送信先番号宛てに送信するFAX送信部と、
を有することを特徴とするFAXサーバ装置。
【００７１】
（付記７）  FAX通信を行うFAX通信方法において、
FAXサーバ装置に対し、
送信先データ保存部により、FAXデータの送信先を指定するための情報である送信先指定情報と、送信先番号とを関連付けて保存管理し、
受信FAXデータ保存部により、受信したFAXデータを、前記送信先指定情報と通し番号とで関連付けて保存管理し、
FAXデータと送信元情報とを受信し、
FAXデータの中継通信時に、前記送信先指定情報を取得し、
取得した前記送信先指定情報を用いて、保存管理されている前記送信先番号を抽出し、
取得した前記送信先指定情報を用いて、保存管理されている前記通し番号を抽出し、
送信すべきFAXデータに関する前記送信元情報と前記通し番号との少なくとも一方を含む識別情報を暗号化して、暗号化データを生成し、
前記暗号化データを、送信すべきFAXデータに添付して暗号化データ付きFAXデータを生成し、
前記暗号化データ付きFAXデータを前記送信先番号宛てに送信し、
送信先ユーザ端末に対し、
前記暗号化データ付きFAXデータを受信して、前記暗号化データの復号化を行って、FAXデータ、前記送信元情報及び前記通し番号を取得することを特徴とするFAX通信方法。
【００７２】
（付記８）  前記識別情報を秘密鍵で暗号化して前記暗号化データを生成し、公開鍵を用いて前記暗号化データを復号化することで、前記送信先ユーザ端末は、前記送信元情報と前記通し番号とを取得することを特徴とする付記７記載のFAX通信方法。
【００７３】
（付記９）  前記秘密鍵で暗号化された前記暗号化データを２次元バーコード化し、２次元バーコード化された前記暗号化データをFAXデータに添付することを特徴とする付記８記載のFAX通信方法。
【００７４】
（付記１０）  前記暗号化データを復号化して得られた前記通し番号を自動的に監視して、正常送信されていないことを認識した場合は、前記送信先ユーザ端末によって、アラームが発せられることを特徴とする付記７記載のFAX通信方法。
【００７５】
（付記１１）  前記FAXサーバ装置は、前記受信FAXデータ保存部で保存されている情報をWEB公開するWEB公開機能をさらに有し、前記送信先ユーザ端末は、前記暗号化データを復号化して得られた前記送信元情報と前記通し番号とを用いてWEBアクセスすることで、前記受信FAXデータ保存部で保存されている情報をWEB上で閲覧することを特徴とする付記７記載のFAX通信方法。
【図面の簡単な説明】
【００７６】
【図１】FAX通信システムの原理図である。
【図２】送信先データ保存部の保存情報の一例を示す図である。
【図３】受信FAXデータ保存部の保存情報の一例を示す図である。
【図４】暗号化処理部の構成を示す図である。
【図５】秘密鍵保管部の登録例を示す図である。
【図６】暗号化データ添付部の構成を示す図である。
【図７】FAX通信システムのシステム構成例を示す図である。
【図８】FAXサーバ装置のFAX受信から送信までの動作を示すフローチャートである。
【図９】送信先ユーザ端末のFAX受信から復号化までの動作を示すフローチャートである。
【図１０】音声応答による送信先指定情報の設定動作を示す図である。
【図１１】一般の公開鍵暗号方式の概要を示す図である。
【図１２】公開鍵暗号を使ったディジタル署名の概要を示す図である。
【図１３】２次元バーコード付きFAXデータの例を示す図である。
【図１４】２次元バーコード付きFAXデータの生成から送信、復号化までの流れを示す図である。
【図１５】FAX通信システムの変形例を示す図である。
【符号の説明】
【００７７】
１  FAX通信システム
１０  FAXサーバ装置
１１  送信先データ保存部
１２  受信FAXデータ保存部
１３  FAX受信部
１４  FAX制御部
１４ａ  送信先指定情報取得部
１４ｂ  送信先番号抽出部
１４ｃ  暗号化処理部
１４ｄ  暗号化データ添付部
１５  FAX送信部
２０  送信元ユーザ端末
３０  送信先ユーザ端末
３１  復号化部
Ｎ１、Ｎ２  ネットワーク
【図１】
2007096580.tif 000003
【図２】
2007096580.tif 000004
【図３】
2007096580.tif 000005
【図４】
2007096580.tif 000006
【図５】
2007096580.tif 000007
【図６】
2007096580.tif 000008
【図７】
2007096580.tif 000009
【図８】
2007096580.tif 000010
【図９】
2007096580.tif 000011
【図１０】
2007096580.tif 000012
【図１１】
2007096580.tif 000013
【図１２】
2007096580.tif 000014
【図１３】
2007096580.tif 000015
【図１４】
2007096580.tif 000016
【図１５】
2007096580.tif 000017